(57)【要約】【課題】書類等の加除を簡単に行うことができる背幅調整ファイルの提供を課題とする。【解決手段】書類等１５等を挟む表表紙１１及び裏表紙１２と、裏表紙１２に固定され、表表紙１１における袋状部２０に出し入れ自在な背表紙１３と、裏表紙１２に設けられた綴じ足１４，１４と、綴じ足１４，１４を書類等１５等に沿って折り曲げられた状態で保持する綴じ具１６とを備えている。表表紙１１には、綴じ足１４、１４を挿入する綴じ孔２２，２２と、背表紙１３の袋状部２０に出し入れする方向Ｘに対して交差する方向Ｙに延びるヒンジ１７と、が設けられている。【選択図】図４
2009269280.tif 000002
【特許請求の範囲】
【請求項１】
第一表紙と第二表紙との間に書類等を挟む背幅調整ファイルであって、
第一表紙におけるファイル内側に板状の内側袋部が重ねられ、少なくとも一方が開口するように外周部が第一表紙と接続されて構成された袋状部と、
基端部側が第二表紙に固定され、先端部側が袋状部に出し入れ自在とされた背表紙と、
内側袋部において袋状部の背表紙が出し入れされる開口方向に設けられ、当該開口方向と交差する方向において内側袋部とヒンジを介して接続されている、綴じ孔を有する綴じ孔保持体と、
第二表紙に設けられた、先端側が、書類等に設けられた貫通孔、綴じ孔の順に挿通される綴じ足と、
綴じ孔に挿通された綴じ足を引き抜かれないように保持する綴じ具と、を有する背幅調整ファイル。
【請求項２】
前記ヒンジは、少なくとも一端が、第一表紙における外周部と接しておらず、
第一表紙の外周部と接していない端は、第一表紙及び綴じ孔保持体を分ける切り分け部と接続している、請求項１に記載の背幅調整ファイル。
【請求項３】
前記綴じ孔保持体は、さらに、他の構成要素と接続していない外周部から綴じ孔へ至る切り込み形状の綴じ足通過部を備え、
前記綴じ具は、綴じ足を保持する際、当該綴じ足が前記綴じ足通過部からも引き抜かれないように保持する、
請求項１又は２に記載の背幅調整ファイル。
【請求項４】
第一表紙と第二表紙との間に書類等を挟む背幅調整ファイルであって、
第一表紙におけるファイル内側に板状の内側袋部が重ねられ、少なくとも一方が開口するように外周部が第一表紙と接続されて構成された袋状部と、
基端部側が第二表紙に固定され、先端部側が袋状部に出し入れ自在とされた背表紙と、
第二表紙に設けられた綴じ孔と、
内側袋部において袋状部の背表紙が出し入れされる開口方向に設けられ、当該開口方向と交差する方向において内側袋部とヒンジを介して接続されている、先端側が書類等に設けられた貫通孔、綴じ孔の順に挿通される綴じ足を備えた綴じ足保持体と、
綴じ孔に挿通された綴じ足を綴じ孔から引き抜かれないように保持する綴じ具と、を備えた背幅調整ファイル。
【請求項５】
第一表紙と第二表紙との間に書類等を挟む背幅調整ファイルであって、
第二表紙におけるファイル内側に板状の内側袋部が重ねられ、少なくとも一方が開口するように外周部が第二表紙と接続されて構成された袋状部と、
基端部側が第一表紙に固定され、先端部側が袋状部に出し入れ自在とされた背表紙と、
第一表紙及び背表紙の何れかからファイル内側方向へヒンジ部を介して設けられた、綴じ孔を有する綴じ孔保持体と、
第二表紙に設けられた、先端側が、書類等に設けられた貫通孔、綴じ孔の順に挿通される綴じ足と、
綴じ孔に挿通された綴じ足が引き抜かれないように保持する綴じ具と、を有する背幅調整ファイル。
【請求項６】
第一表紙と第二表紙との間に書類等を挟む背幅調整ファイルであって、
第二表紙におけるファイル内側に板状の内側袋部が重ねられ、少なくとも一方が開口するように外周部が第二表紙と接続されて構成された袋状部と、
基端部側が第一表紙に固定され、先端部側が袋状部に出し入れ自在とされた背表紙と、
第二表紙に設けられた綴じ孔と、
第一表紙及び背表紙の何れかからファイル内側方向にヒンジ部を介して設けられた、先端側が書類等に設けられた貫通孔、綴じ孔の順に挿通される綴じ足を有する綴じ足保持体と、
綴じ孔に挿通された綴じ足が引き抜かれないように保持する綴じ具と、を有する背幅調整ファイル。
【発明の詳細な説明】
【技術分野】
【０００１】
本発明は背幅調整ファイルに関する。
【背景技術】
【０００２】
従来、背幅を調整可能な背幅調整ファイルが知られている（例えば、特許文献１参照。）。特許文献１の背幅調整ファイル１００は、図７に示すように、裏表紙１１２に固定される綴じ足１３１，１３１と、表表紙１１１に支持される綴じ足保持体１３２とを有している。表表紙１１１には、閉じ足１３１を通す綴じ孔１２１，１２１が設けられている。
【０００３】
裏表紙１１２には背表紙１１３が固定されている。背表紙１１３は、表表紙１１１に設けられた袋状部１１１Ａにスライド自在に挿入される。したがって、背幅調整ファイル１００は、背表紙１１３の袋状部１１１Ａ内に挿入される長さ（幅）を調整することにより、背幅を調整できる。
【０００４】
綴じ足１３１は、裏表紙１１２の端部が折り曲げられて形成された綴じ孔固定部１１８に固定されている。綴じ孔１２１は、表表紙１１の端部が折り曲げられて形成された綴じ孔形成部１１７に設けられている。
【０００５】
綴じ足１３１，１３１は、書類等背幅調整ファイル１００の綴じ孔形成部１１７と綴じ足固定部１１８との間に配置された書類等の貫通孔（綴じ孔）、綴じ孔１２１に順に挿通され、綴じ足保持体１３２によって綴じ孔１２１から綴じ孔固定部１１８側に引き抜かれないように固定され、これによって書類等が綴じられる。
【０００６】
このように、背幅調整ファイル１００は、背幅（背表紙が外部に露出している部分の幅／背表紙における袋状部に挿入されていない部分の幅）を調整でき、また、綴じ足への書類等の綴じ量を調整できるため、綴じられている書類等の量に応じたファイル幅にできる。
【特許文献１】特開２００６−２８１５４９号公報
【発明の開示】
【発明が解決しようとする課題】
【０００７】
しかしながら、従来の背幅調整ファイルは、書類等の加除作業に際して種々の問題が指摘されている。
（Ａ）作業性の悪さ１
背幅調整ファイル１００は、書類等の加除作業が極めて面倒である。
背幅調整ファイル１００は、綴じ孔１２１が表表紙１１１に設けられているため、書類等の加除を行う際には、綴じ孔１２１から綴じ足１３１を抜き出す必要がある。しかし、一般に綴じ孔形成部１１７と綴じ足固定部１１８の間は書類等が隙間なく綴じられているため、両者間において綴じ足をつかむことはできない。
そこで、綴じ足をつかむために、背表紙１１３を袋状部１１１Ａから引き出して綴じ足をつかめるようにしてから綴じ足１３１，１３１を綴じ孔１２１，１２１から抜き出し、書類等の加除を行った後、綴じ足１３１，１３１を綴じ孔１２１，１２１に再度入れて背表紙１１３の幅（袋状部１１１Ａから外部に露出している部分の幅）を調整する必要がある。
このように従来の背幅調整ファイル１００における書類等加除の作業性は非常に悪い。
【０００８】
（Ｂ）作業性の悪さ２
背幅調整作業時、背表紙１１３が袋状部１１１Ａから全て抜け出てしまう場合がある。
利用者は、書類等の加除作業時には上記のように綴じ足をつかめるようにする必要があるため、各表紙を綴じ足１３１よりも重力方向下側にして（一般には作業台上に）配置した上で、表表紙１１１と裏表紙１１２若しくは背表紙１１３をそれぞれ持って広げる方向に力を加える。これにより、表表紙１１１と裏表紙１１２は相対的に離れる方向に移動するが、上記の通り各表紙は綴じ足１３１よりも下側に位置するので、書類等に邪魔され、表表紙１１１と背表紙１１３の相対位置関係（袋状部１１１Ａから背表紙１１３がどれだけ引き出されたか）を視認することが困難である。そのため、袋状部１１１Ａから背表紙１１３が全て引き抜かれてしまう場合がある。
また、特に書類等が多数綴じられていて表表紙１１２・背表紙１１３側が重い場合、表表紙１１１と裏表紙１１２とを引き離す場合に相当量の力を加える必要がある。このような場合、必要量以上の力を加えてしまいやすく、袋状部１１１Ａから背表紙１１３を全て引き抜いてしまう場合がある。
袋状部１１１Ａは、一般に表表紙１１１に対して紙類が重ねられ、その三方が表表紙１１１と接着等されただけの孔部であるため、背表紙１１３の抜き差し性が悪い場合もある。この場合も、袋状部１１１Ａから背表紙１１３を引き抜くために過大な力を加えてしまい、結果として袋状部１１１Ａから背表紙１１３が全て引き抜かれてしまう場合がある。
【０００９】
また、背表紙１１３を袋状部１１１Ａに再度差し込む必要があるが、袋状部１１１Ａの開口部は一般に紙様の部材が２枚重ね合わされて形成されただけの狭いものであるため、背表紙１１３の先端側を差し込む作業は面倒である。特に、綴じ足１３１に書類等が綴じられた状態において差し込む場合には、上記同等の理由により（表表紙１１２側が重かったり、視認性が悪かったりするので）この作業性は極めて低くなる。
【００１０】
（Ｃ）背表紙１１３等への負荷
このようなファイルは、紙や樹脂等による薄い材料で構成されるのが一般であるため、袋状部１１１Ａへの背表紙１１３の抜き差し作業を繰り返すと、例えば背表紙先端部１１３が折れ曲がってしまったり、当該作業によって利用者に持たれた部分周辺が折れ曲がってしまったり切り離されてしまったりするといった問題も生じる。
【００１１】
本発明は、このような問題に鑑みなされたもので、書類等の加除時の作業性を大幅に向上させ、また、書類等の加除時に破損等しにくい背幅調整ファイルの提供を課題とする。
【課題を解決するための手段】
【００１２】
上記課題を解決するため、本発明に係る背幅調整ファイルは、第一表紙と第二表紙（一方が表表紙で他方が裏表紙）との間に書類等を挟む背幅調整ファイルであって、第一表紙におけるファイル内側に板状の内側袋部が重ねられ、少なくとも一方が開口するように外周部が第一表紙と接続されて構成された袋状部と、基端部側が第二表紙に固定され、先端部側が袋状部に出し入れ自在とされた背表紙と、内側袋部において袋状部の背表紙が出し入れされる開口方向に突出するように設けられ、開口方向と交差する方向において内側袋部とヒンジを介して接続されている、綴じ孔を有する綴じ孔保持体と、第二表紙に設けられた、先端側が、書類等に設けられた貫通孔、綴じ孔の順に挿通される綴じ足と、綴じ孔に挿通された綴じ足を、綴じ孔から第二表紙側へ引き抜かれないように保持する綴じ具と、を備える。
【００１３】
上記背幅調整ファイルは、書類等の加除を行うには、綴じ具による綴じ足の保持状体を解除した後、ヒンジを中心にして綴じ孔保持体を第一表紙／内側袋部よりも手前方向（ファイル内側方向）に移動させれば、書類等と綴じ足保持体との間に隙間が生じ、この間の綴じ足をつかむことができる。そうすると、綴じ足を綴じ足保持体の綴じ孔から引き抜くことが可能となり、背表紙を引き出すことなく書類等の加除が可能となる。
【００１４】
上記背幅調整ファイルは、背幅の調整（背表紙と袋状部の相対位置の調整／背表紙の外部への露出量の調整）を、加除された書類等の幅（複数の書類等が綴じられている場合には全ての書類等の幅。綴じられる書類等の総幅。本明細書において他の箇所も同様。）に応じた最小量だけ行えばよい。すなわち、上記のようにして書類等の加除を行った後、綴じ孔保持体の綴じ孔に綴じ足を通し、綴じ孔保持体を書類等に接するように、ヒンジを中心として綴じ孔保持体を奥側（第二表紙側）へ移動させた後、綴じ足を綴じ具によって保持した後、新たに綴じられた書類等の幅に応じて背表紙を袋状部に出し入れするだけでよい。特に書類等の幅が増えた場合には、以上のように綴じ足を綴じ具によって保持した状態でファイルを閉じれば（第一表紙と第二表紙とを対向させれば）、書類等加除前の背幅量ではファイルを閉じた状態にできないため、ファイルを閉じる作業に起因して背表紙が袋状部から自動的に引き出されることも期待できる。書類等の幅が薄くなった場合でも、当該書類等を綴じるに不要な（余分な）背表紙を袋状部に押し込むだけでよい。
【００１５】
このように、上記背幅調整ファイルは、書類等の加除作業を行う際、綴じ足を持つために背表紙を袋状部から引き出す必要がないので、従来の背幅調整ファイルにおいて指摘されていたような問題を解決することができる。
【００１６】
上記背幅調整ファイルは、ヒンジが、少なくとも一端が第一表紙における外周部と接しておらず、第一表紙の外周部と接していない端が、第一表紙及び綴じ孔保持体を分ける切り込み等の切り分け部と接続するように構成してもよい。すなわち、第一表紙と綴じ孔保持体との境界を、ヒンジと切り分け部とで構成すればよい。
【００１７】
綴じ具が綴じ足を保持した状態（通常の書類等保管・閲覧時）において、第一表紙の内側面においてヒンジを中心に第一表紙と綴じ孔保持体とを相対的に回転させてしまうと、当該ヒンジ部に対応する外側の部材、すなわち第一表紙も折れ曲がってしまうことになりかねないが、本構成は、第一表紙の内側面におけるヒンジに沿った直線においてヒンジでない部分が存在するため、以上の問題を解決している。すなわち、上記状態において、ヒンジを中心にして綴じ足保持体が内側袋部／袋状部／第一表紙に対して回転移動しようとしたとしても、ヒンジと同一直線上の部分にヒンジでない部分が押しとどめるため、ヒンジが存する直線を中心としてファイルが折れ曲がるということが防止されている。
なお、ヒンジ部の両端が第一表紙における外周部と接しないように構成すれば、ヒンジを中心にして折れ曲がろうとする方向の力が発生したとしても、ヒンジの両端側における内側袋部がこの力を効果的に受け止めるので、書類の閲覧時等にヒンジを中心にしてファイルが折れてしまうといったことが極めて効果的に防止される。
【発明の効果】
【００１８】
本発明によれば、書類等の加除時の作業性を大幅に向上させ、また、書類等の加除時に破損等しにくい背幅調整ファイルを提供できる。
【発明を実施するための最良の形態】
【００１９】
以下、本発明に係る背幅調整ファイル１を、添付した図面に基づいて詳細に説明する。まず、図１乃至図３に基づき背幅調整ファイル１の構成を説明する。
【００２０】
図１〜図３に示すように、背幅調整ファイル１は、書類等１５等を挟む表表紙１１及び裏表紙１２と、裏表紙１２に固定され表表紙１１における袋状部２０に出し入れ自在に設けられた背表紙１３と、裏表紙１２に設けられ書類等１５等のパンチ孔２９に挿入される綴じ足１４，１４と、綴じ足１４，１４を書類等１５等に沿って折り曲げた状態でロック（保持）する綴じ具１６と、を備えている。
【００２１】
表表紙１１は、綴じ足１４，１４が挿入される綴じ孔２２，２２を備えた回転部（綴じ孔保持体）２３が突設して設けられており、回転部２３を上側（Ｚ方向；図２参照。）へ回転移動させるための、袋状部２０に対する出し入れ方向Ｘ（図２参照。）に対して直交する方向Ｙ（図１参照。）に延びるヒンジ１７が設けられている。ヒンジ１７は、綴じ孔２２，２２の間隔Ｌ１より長く、第一表紙の幅Ｌ３よりも狭い長さＬ２である。袋状部２０は、表表紙１１における回転部２３以外の非回転部（内側袋部）２４に形成されている。
【００２２】
ヒンジ１７は、端１７ａ，１７ｂからそれぞれに最も近い表表紙１１における端１１ａ、端１１ｂへ延びる切り込み（切り分け部）１９，１９が設けられている。切り込み１９は、互いに交差する二辺１９ａ，１９ｂで構成された略Ｌ字形の溝である。切り込み１９の一辺１９ａは、ヒンジ１７の端１７ａ，１７ｂから略Ｘ方向に延び、他辺１９ｂは一辺１９ａと一端で接続し略Ｙ方向に延び、表表紙１１の外周部１１ａ、１１ｂに接続している。
【００２３】
なお、本実施形態における回転部２３は、表表紙１１のファイル内側面におけるヒンジ１７、切り込み１９，１９、表表紙１１の上下端縁１１ａ，１１ｂ、及び綴じ孔２２，２２側の側端縁２３ａで囲まれた部材であるが、回転部２３と非回転部（内側袋部）２４とを別体で作成し、これをヒンジ１７の位置において接合し、接合部をヒンジとして機能させるようにして構成することも可能である。
【００２４】
表表紙１１は、一対の板状部材であるファイル表面側の部材（図１では紙面裏側方向の部材）２１ａと内側の部材（内側袋部）２１ｂが隙間を空けて対向して配置されている。この隙間が袋状部２０である。袋状部２０は、板状部材２１ａ，２１ｂの上下端１１ａ，１１ｂ及び外側端１１ｃ側の３辺（外周部の３辺）が接合され、綴じ孔２２側の一辺が開口されている。
図３に示すように、背表紙１３は、一端側（固定部１３ａ）が裏表紙１２の綴じ足固定部２８に固定され、固定部１３ａ及び背幅部分１３ｂ以外の余長部１３ｃ（先端部）は、表表紙１１の袋状部２０に出し入れ自在に挿入されている。
【００２５】
回転部２３は、非回転部２４側にヒンジ２５を介して綴じ孔形成部２６が設けられている。綴じ孔形成部２６は綴じ孔２２，２２が設けられている。
綴じ足固定部２８は、綴じ孔２２、２２に対応する位置に綴じ足１４が設けられている。本実施形態においては、貫通孔に、一端（後端側）が当該孔に対して抜け止め（ストッパー）となっており、他端（先端側）が当該孔を貫通し、書類等１５のパンチ孔２９、綴じ孔２２を順次挿通可能に構成されている。
綴じ具１６は、綴じ孔２２、２２から引き出された状態の綴じ足１４、１４が綴じ孔２２、２２から抜けないようにするための綴じ足固定具であり、適宜公知の綴じ具が採用される。
次に、背幅調整ファイル１の作用を、主に図４乃至図６を参照しながら説明する。
【００２６】
背幅調整ファイル１に綴じられた書類等１５等の加除を行う場合は、図４に示すようにまず表表紙１１を開き、綴じ具１６による綴じ足１４の固定状態（ロック状態）を解除する。
【００２７】
そして、表表紙１１の非回転部２４を手等で押さえて、図５に示すようにヒンジ１７を中心として回転部２３を書類等１５等から離間する方向Ｚに回動させる。これにより、図５に示すように、綴じ孔２２，２２側の側端部２３ａと書類等１５等との間に隙間ｄが生じする。
なお、ここまでの行程では表表紙１１や非回転部２４を裏表紙１２に対して動かす必要
がないため、背表紙１３を袋状部２０から引き出す必要もなく、また、上記作業に起因して背表紙１３（余長部１３ｃ）が袋状部２０から自動的に（作業者が意図せずに）引き出されることもない。
【００２８】
上記のようにして生じた隙間ｄに指を入れて綴じ足１４を掴み、綴じ足１４を綴じ孔２２から引き抜くことで、綴じ足１４に対して書類等１５の加除が可能となる。書類等１５の加除を行った後、綴じ孔２２，２２に綴じ足１４，１４を挿入し、回転部２３を書類等１５側に当接するよう図４、図５中矢印Ｚ方向とは反対方向に回動させ、図６に示すように綴じ孔２２よりもファイル内側に飛び出た状態の綴じ足１４を綴じ具１６によってロックする。
【００２９】
以上のように書類等１５の加除を行うと、背幅量１３ｂも作業前と変える必要があるが、その調整は、書類等１５の加除を行う行程において行ってもよい。また、綴じ足１４を綴じ具１６によってロックした後に調整してもよい。特に図６（ａ）に示すように書類等１５の量が増えた場合には、綴じ足１４を綴じ具１６によってロックした後、ファイルを閉じると（表表紙１１を裏表紙１２に対向するように回転移動させると）、これに起因して背表紙１３が（余長部１３ｃ）が袋状部２０から自動的に必要量だけ引き出される。
【００３０】
このように、背幅調整ファイル１は、書類等加除の際に綴じ孔２２，２２からの綴じ足１４，１４を抜き出す工程において、袋状部２０への背表紙１３の出し入れを行う必要がなく、また、この行程において綴じ足１４、１４が綴じ孔２２、２２から引き出されてしまうこともない。また、書類等加除の全工程において、袋状部２０からの背表紙１３の出し入れは、書類等加除の量に応じた必要最小限の量ですむ。
【００３１】
本発明は上記実施例に限定して解釈されるものではなく、その趣旨・精神に沿って上記実施例を適宜変形することができる。例えば以下の変形例も採用し得る。
【００３２】
上記実施形態において、裏表紙１２に袋状部２０を設け、背表紙１３を表表紙１１に固定した構成や、綴じ孔と綴じ足の位置関係を逆にした構成などでも上記同等の作用効果を奏する。具体的には以下のような構成も採用し得る。
【００３３】
本実施の形態に係る第二の背幅調整ファイルは、第一表紙と第二表紙（一方が表表紙、他方が裏表紙）との間に書類等を挟むファイルであって、袋状部が、第一表紙におけるファイル内側に板状の内側袋部が重ねられ、少なくとも一方が開口するように外周部が第一表紙と接続されて構成されている。背表紙は、基端部側が第二表紙に固定され、先端部側が袋状部に出し入れ自在とする。綴じ孔は、第二表紙そのものに設けるか、第二表紙からファイル内側に突設して設けられた綴じ孔保持体に設ける（本明細書においてはいずれの構成も「綴じ孔が第二表紙に設けられている」等と表記する。）。内側袋部には、袋状部の背表紙が出し入れされる開口方向に突出する方向に、当該開口方向と交差する方向において内側袋部とヒンジを介して接続されている、先端側が書類等に設けられた貫通孔、綴じ孔の順に挿通される綴じ足を備えた綴じ足保持体が設けられ、綴じ孔に挿通された綴じ足を綴じ孔から引き抜かれないように保持する綴じ具を備えている。
このような上記実施例とは綴じ足と綴じ孔の関係を逆の構成、すなわち、第一表紙（側）に綴じ足を設け、第二表紙（側）に綴じ孔を設けた構成であっても、書類等の加除作業時にヒンジを介して綴じ足保持体を回動させれば綴じ足をつかむことが可能となるため、背表紙を袋状部から引き出す必要がなく、またこの作業において背表紙が袋状部から引き出されることはない。したがって、この構成によっても上記同等の作用・効果を奏する。
【００３４】
本実施の形態に係る第三の背幅調整ファイルは、第一表紙と第二表紙との間に書類等を挟んだ背幅調整ファイルであって、第二表紙におけるファイル内側に板状の内側袋部が重
ねられ、少なくとも一方が開口するように外周部が第二表紙と接続されて構成された袋状部を備える。背表紙は、基端部側が第一表紙に固定され、先端部側が袋状部に出し入れ自在とされている。そして、第一表紙及び背表紙の何れかからファイル内側方向へ突出するようにヒンジを介して設けられた、綴じ孔を有する綴じ孔保持体を備える。また、第二表紙に設けられた、先端側が、書類等に設けられた貫通孔、綴じ孔の順に挿通される綴じ足と、綴じ孔に挿通された綴じ足が引き抜かれないように保持する綴じ具と、を備える。
このような構成であっても、書類等加除作業時、綴じ具による綴じ足の固定状態を解除した後、上記ヒンジを介して綴じ孔保持体を回動させれば、上記実施形態に係る背幅調整ファイルと同様に綴じ孔から綴じ足を引く抜くための作業スペースが生まれる。したがって、このような構成によっても上記同等の作用効果を奏する。
【００３５】
第三の背幅調整ファイルにおいて、綴じ孔と綴じ孔の関係を逆にすることもできる。具体的には、本実施の形態に係る第四の背幅調整ファイルは、第一表紙と第二表紙との間に書類等を挟む背幅調整ファイルであって、第二表紙におけるファイル内側に板状の内側袋部が重ねられ、少なくとも一方が開口するように外周部が第二表紙と接続されて構成された袋状部を有する。背表紙は、基端部側が第一表紙に固定され、先端部側が袋状部に出し入れ自在とされ、第二表紙に綴じ孔が設けられる。第一表紙及び背表紙の何れかからファイル内側方向へ突出するように、先端側が書類等に設けられた貫通孔、綴じ孔の順に挿通される綴じ足を備えた綴じ足保持体が、接続先（第一表紙及び／又は背表紙）とヒンジ結合されている。そして、綴じ孔に挿通された綴じ足が引き抜かれないように保持する綴じ具を備える。
【００３６】
図８に示すように、綴じ具１６の綴じ孔２２に切れ込み２２ａを設けると（狭義の綴じ孔２２ｂと綴じ足通過部２２ａとによって綴じ孔２２を構成すると）、上記した作用効果（作業性の向上や耐久性の向上など）はさらに優れたものとなる。なお、図８は、当該別例に係る構成を示した斜視図であるが、上記実施例と同等の構成については同一の符号を付し、また、説明を容易にするため背表紙１３等を省略している。
【００３７】
綴じ具１６は、綴じ具蓋部１６ａと綴じ具ベース部１６ｂとを備え、綴じ孔２２を挿通された綴じ足１４を両者で挟み込み、両者が係合することで綴じ足を保持する構成である。綴じ具ベース部１６ｂには綴じ孔２２が設けられており、綴じ孔２２は、上記したように綴じ足通過部２２ａと狭義の綴じ孔２２ｂとで構成されている。従って、綴じ足１４は、先端部から狭義の綴じ孔２２ｂを差し込み挿通させる以外にも、側部から綴じ足通過部２２ａを通過させて狭義の綴じ孔２２ｂに挿通された状態とすることもできる。
【００３８】
この別例に係る背幅調整ファイルにおいて書類等の加除を行うには、綴じ具蓋部１６ａと綴じ具ベース部１６ｂとの係合を解除して綴じ具蓋部１６ａを綴じ具ベース部１６ｂから開いた後、綴じ足１４を綴じ足通過部２２ａを介して綴じ孔２２から引き出す。そして、ヒンジ１７を中心に回転部２３を裏表紙１２から引き離す方向に移動させれば、綴じ足１４に対して書類等の加除を行うことが可能となる。このようにして書類等の加除作業を行う場合であっても、書類等の加除を行える状態にするに際して背表紙と袋状部の相対位置を変更する必要がない。なお、本構成においても当然、上記実施例と同様に書類等の加除作業を行うこともできる。
【００３９】
上記実施形態は、次のように変形することもできる。すなわち、この変形例に係る背幅調整ファイルは、書類等を挟む表表紙及び裏表紙と、表表紙又は裏表紙の一方に固定され、他方に設けられた袋状部に出し入れ自在に設けられた背表紙と、表表紙又は裏表紙に設けられ書類等の孔に挿入される綴じ足と、綴じ足を前記書類等に沿って折り曲げた状態で保持する綴じ具と、表表紙又は裏表紙における綴じ足が設けられていない表紙に設けられ、綴じ足が挿入される綴じ孔と、表表紙及び裏表紙における前記綴じ孔が設けられた表紙
において、綴じ孔を含む部分を、綴じ足が設けられた表紙から引き離す方向に回転移動させるための、袋状部に対する出し入れ方向に対して交差する方向に延びるヒンジと、を有する。
【００４０】
この変形例に係る背幅調整ファイルは、表表紙又は裏表紙における綴じ孔を含む一部分をヒンジで回転させて書類等から離間させることができる。具体的には、綴じ具による綴じ足の係合を解除した後、綴じ孔を含む部分を、ヒンジを中心に書類等（綴じ足の基端部が設けられた側の表紙）から離し、綴じ孔が設けられた側の表紙と書類等の間において綴じ足を露出させることができる。このように綴じ孔を含む一部分と書類等との間に隙間が形成されるので、この隙間を利用して（この隙間に指を入れて）綴じ足を掴み、綴じ足を綴じ孔から抜き出すことができる。
この際、背表紙を挿入する袋状部は綴じ孔を含む一部分以外の部分に形成されているので、綴じ足を含む一部分が回転しても、袋状部から背表紙を引き出されない。従って、書類等の加除を行うために綴じ孔から綴じ足を引き出す際に、背表紙を袋状部から出す必要がないため、操作性が向上する。また、背表紙の出し入れに際して負荷がかかる部位の損傷を抑制できる。
【００４１】
台の上に当該ファイルを載せて書類等の加除作業を行う場合、綴じ孔が設けられている部分が、綴じ孔が設けられている表紙の主体（いわゆる表紙として機能し、この作業状態において台と当接する部分）とは異なる平面に移動される（ヒンジを中心として回転される）ため、背表紙並びに裏表紙（それぞれの「表紙」として外部から視認される主体部分）の略全てを台に接したまま作業を行うことができる。
従来のファイルには上記ヒンジがないため、綴じ孔が設けられている側の表紙は台と接しないため、作業中、当該表紙に誤って力を加えてしまい、表紙に折り目を付けてしまったり、表紙を破損してしまったりするといったことがあったが、そのような事態を効果的に防ぐこともできる。
【００４２】
ここで、前記ヒンジは、少なくとも一端が、当該ヒンジが設けられている表紙における端と接しておらず、表紙における端と接していないヒンジの端から、当該ヒンジが設けられている表紙における前記袋状部に対する出し入れ方向に対して交差する方向における辺の内、当該ヒンジの端と異なる端とは反対側の辺へ至る切り込みが設けられている構成にできる。
従って、実質的な背表紙部分（ファイル幅）が収納されている書類等と比べて必要以上に厚くなってしまったり、ヒンジが設けられた表紙における実質的に表紙として機能している部分の面積が狭くなってしまい表紙側からファイルの中身（書類等）が視認できてしまったりするという問題を効果的に防ぐことが可能となる。
【００４３】
前記切り込みは互いに交差する二辺で形成され、一辺が前記ヒンジの端縁から前記綴じ孔側に延び、他辺が前記一辺の先端から前記表表紙又は前記裏表紙の端まで延びている構成にできる。この構成によれば、綴じ足を含む一部分、すなわちヒンジから回転する部分の面積を小さくできるので、外観が向上する。言い換えると、ヒンジの長さを短くすることができるため、当該ヒンジが設けられたことによって表紙が折れ曲がりやすくなるといった問題を防止できる。
【００４４】
前記ヒンジは前記背表紙を前記袋状部内に出し入れする方向に対して略直交する方向に延びているのが好ましい。この構成によれば、ヒンジが表表紙及び裏表紙の四辺と平行又は直角になるので外観が向上する。また、ファイルに設けられる他のヒンジや切り込みと略同じ方向のヒンジとなるため、書類等の加除作業を行う際に、ヒンジ方向と異なる方向に力を入れてしまい、表紙が折れ曲がってしまうといった問題の発生を防ぐことができる。
【００４５】
また、次のように変形することもできる。この変形例に係る背幅調整ファイルは、書類等を挟む表表紙及び裏表紙と、表表紙又は裏表紙の一方に固定され、他方に設けられた袋状部内に出し入れ自在に設けられた背表紙と、表表紙又は裏表紙に設けられ書類等の孔に挿入される綴じ足と、綴じ足を書類等に沿って折り曲げた状態で保持する綴じ具と、を備える背幅調整ファイルにおいて、表表紙又は裏表紙に設けられ綴じ足を挿入する綴じ孔と、表表紙又は裏表紙の綴じ孔を含む一部分を回転させるべく、表表紙又は裏表紙に設けられ背表紙の前記袋状部に対する出し入れ方向に対して交差する方向に延びるヒンジと、を有し、袋状部は、表表紙又は裏表紙における綴じ孔を含む一部分以外の部分に形成されている。
【００４６】
この変形例によれば、背幅調整ファイルに綴じられた書類等の加除を行う際に、表表紙又は裏表紙における綴じ孔を含む一部分をヒンジから回転させて書類等から離間させることにより、綴じ孔を含む一部分と書類等との間に隙間を形成し、この隙間を利用して綴じ足を掴み、綴じ足を綴じ孔から抜き出すことができる。
この際、背表紙を挿入する袋状部は綴じ孔を含む一部分以外の部分に形成されているので、綴じ足を含む一部分が回転しても袋状部は回転しない。従って、書類等の加除を行う際に、背表紙を袋状部に出し入れする必要がないため、操作性が向上する。また、背表紙の出し入れに際して負荷がかかる部位の損傷を抑制できる。
【００４７】
ここで、前記ヒンジの両端から前記表表紙又は前記裏表紙の上端又は下端まで延びる切り込みが設けられている構成にできる。この構成によれば、ヒンジの長さを短くできるので、外観が向上する。
また、前記切り込みは略Ｌ字形に形成され、前記Ｌ字形の一辺が前記ヒンジの端縁から前記綴じ足側に延び、他辺が前記一辺の先端から前記表表紙又は前記裏表紙の上端又は下端まで延びている構成にできる。この構成によれば、綴じ足を含む一部分、すなわちヒンジから回転する部分の面積を小さくできるので、外観が向上する。
【図面の簡単な説明】
【００４８】
【図１】本実施形態に係る背幅調整ファイルを示す正面図であり、表表紙を開いた状態を示す図である。
【図２】本実施形態に係る背幅調整ファイルを示す下面図であり、図１のＡ矢視図である。
【図３】本実施形態に係る背幅調整ファイルの袋状部を示す図である。
【図４】本実施形態に係る背幅調整ファイルの作用を説明する図であり、綴じ具による綴じ足のロックを解除した状態を示す図である。
【図５】本実施形態に係る背幅調整ファイルの作用を説明する図であり、回転部を回転させた状態を示す図である。
【図６】図６（ａ）は書類等を追加した場合に背幅を大きくした状態を示す図、図６（ｂ）は書類等を除去した場合に背幅を小さくした状態を示す図である。
【図７】従来例に係る背幅調整ファイルを示す図である。
【図８】別例に係る背幅調整ファイルを示した斜視図である。
【符号の説明】
【００４９】
１  背幅調整ファイル
１１  表表紙
１２  裏表紙
１３  背表紙
１１ａ  表表紙の上端
１１ｂ  表表紙の下端
１３ａ  背表紙の固定部
１３ｂ  背表紙の背幅部分
１３ｃ  背表紙の余長部
１４  綴じ足
１５  書類等
１６  綴じ具
１７  ヒンジ
１７ａ，１７ｂ  ヒンジの両端
１８  ヒンジの固定部分
１９  略Ｌ字形の切り込み
１９Ａ  切り込みの一辺
１９ｂ  切り込みの他辺
２０  袋状部
２１ａ，２１ｂ  板状部材
２２  綴じ孔
２３  表表紙の回転部
２３ａ  回転部の側端部
２４  非回転部
２６  綴じ孔形成部
【図１】
2009269280.tif 000003
【図２】
2009269280.tif 000004
【図３】
2009269280.tif 000005
【図４】
2009269280.tif 000006
【図５】
2009269280.tif 000007
【図６】
2009269280.tif 000008
【図７】
2009269280.tif 000009
【図８】
2009269280.tif 000010